(57)【要約】【課題】  温風暖房乾燥機とミスト発生ユニットが互いに独立して制御される場合であっても、快適かつ安全に使用できるミストサウナ装置を提供する。【解決手段】  給湯管３から供給される温水を噴霧するミスト噴射ノズル２；ミスト噴射ノズル２への温水の供給を発停するソレノイドバルブ４；ミストサウナ浴開始の指示を入力するサウナ開始スイッチ７；浴室の室温を検出する温度センサ８；サウナ開始スイッチ７からミストサウナ浴開始の指示が入力された場合、温度センサ８の示度が所定の閾値以上であれば、温水の噴霧を許可する制御部６；及び制御部６が温水の噴霧を許可した場合にソレノイドバルブ４を開放するソレノイドバルブドライバ５；を備える。    【選択図】        図１
2007061225.tif 000002
【特許請求の範囲】
【請求項１】
浴室内に温水を噴霧して温水ミストを発生させるミストサウナ装置において、
給湯管から供給される温水を噴霧する温水ミスト発生手段；
前記温水ミスト発生手段への温水の供給を発停する開閉弁；
ミストサウナ浴開始の指示を入力するサウナ開始スイッチ；
前記浴室内の温度を検出する温度センサ；
前記サウナ開始スイッチからミストサウナ浴開始の指示が入力された場合、前記温度センサの示度が所定の閾値以上かつ／又は時間当たりの前記浴室内の温度上昇率が所定の閾値以上であれば、温水の噴霧を許可する開始温度判定手段；
及び前記開始温度判定手段が温水の噴霧を許可した場合に前記開閉弁を開放する弁制御手段；
を備えることを特徴とするミストサウナ装置。
【請求項２】
少なくとも前記温水ミスト発生手段を内蔵するミスト発生ユニット；
前記ミスト発生ユニットとは別体に構成されたリモコン装置；
前記リモコン装置内にあって、前記ミスト発生ユニットに対する指令を有線又は無線送信する送信手段；
前記ミスト発生ユニット内にあって、前記送信手段から送信される指令を受信する受信手段；
を備えるとともに、前記温度センサは前記リモコン装置に取り付けられていることを特徴とする請求項１に記載のミストサウナ装置。
【請求項３】
前記送信手段は、前記温度センサが出力する温度信号を送信するとともに、
前記受信手段は当該温度信号を受信し、
前記開始温度判定手段は、前記サウナ開始スイッチからミストサウナ浴開始の指示が入力された場合、前記受信手段が受信する温度信号が所定の閾値以上かつ／又は時間当たりの前記浴室内の温度上昇率が所定の閾値以上であれば、温水の噴霧を許可することを特徴とする請求項２に記載のミストサウナ装置。
【請求項４】
前記開始温度判定手段は、
前記温度センサの示度が所定の閾値以上かつ／又は時間当たりの前記浴室内の温度上昇率が所定の閾値以上にある場合に、前記サウナ開始スイッチからの入力を受付け可能な状態（以下「受付可能状態」という。）とする受付手段；
前記受付可能状態において、前記サウナ開始スイッチからミストサウナ浴開始の指示が入力された場合に、前記弁制御手段に前記開閉弁の開放を指令する弁開放指令手段；
を備えることを特徴とする請求項１乃至３のいずれかに記載のミストサウナ装置。
【請求項５】
前記開始温度判定手段は、
前記サウナ開始スイッチからミストサウナ浴開始の指示が入力されたときに、前記温度センサの示度が所定の閾値未満かつ／又は時間当たりの前記浴室内の温度上昇率が所定の閾値未満であれば、温水噴霧の許可を保留して、前記温度センサの示度の上昇を待つ状態（以下「待機状態」という。）とする待機手段；
及び前記サウナ開始スイッチからミストサウナ浴開始の指示が入力されたときに、前記浴室温度センサの示度が所定の閾値以上かつ／又は時間当たりの前記浴室内の温度上昇率が所定の閾値以上である場合、又は前記待機状態において前記浴室温度センサの示度が閾値以上かつ／又は時間当たりの前記浴室内の温度上昇率が所定の閾値以上に達した場合に前記弁制御手段に前記開閉弁の開放を指令する弁開放指令手段；
を備えることを特徴とする請求項１乃至３のいずれかに記載のミストサウナ装置。
【請求項６】
前記開始温度判定手段は、
前記サウナ開始スイッチからミストサウナ浴開始の指示が入力されたときに、温水噴霧の許可を保留して、前記温度センサの示度を監視する状態（以下「保留状態」という。）とするとともに、前記温度センサの示度が所定の閾値以上かつ／又は時間当たりの前記浴室内の温度上昇率が所定の閾値以上であることを条件に前記保留状態を解除する保留手段；
及び前記保留状態が解除されたときに、前記弁制御手段に前記開閉弁の開放を指令する弁開放指令手段；
を備えることを特徴とする請求項１乃至３のいずれかに記載のミストサウナ装置。
【請求項７】
ミストの噴霧を開始する指示（以下、「噴霧開始指示」という。）を入力するミスト開始スイッチを備えるとともに、
前記噴霧開始指示が入力されると、前記弁制御手段は前記開閉弁を開放することを特徴とする請求項１乃至６のいずれかに記載のミストサウナ装置。
【請求項８】
ミストの噴霧を開始する指示（以下、「噴霧開始指示」という。）を入力するミスト開始スイッチを備えるとともに、
前記噴霧開始指示が入力されると、前記開始温度判定手段は前記温度センサの示度の如何に関わらず、温水の噴霧を許可することを特徴とする請求項１乃至６のいずれかに記載のミストサウナ装置。
【請求項９】
ミストの噴霧を開始する指示（以下、「噴霧開始指示」という。）を入力するミスト開始スイッチを備えるとともに、
前記噴霧開始指示が入力されると、前記弁開放指令手段は前記弁制御手段に前記開閉弁の開放を指令することを特徴とする請求項４乃至６のいずれかに記載のミストサウナ装置。
【発明の詳細な説明】
【技術分野】
【０００１】
本発明は、浴室内に設置されて、給湯管から供給される温水により浴室内に温水ミストを発生させるミストサウナ装置に関するものである。
【背景技術】
【０００２】
温風暖房乾燥機と、温水ミストを噴霧するミストサウナ装置を浴室内に取りつけ、温風暖房乾燥機により浴室の室温を上昇させるとともに、ミストサウナ装置によってミストを発生させて、ミストサウナ浴を楽しむミスト式浴室暖房装置が公知である（特許文献１、２）。
【０００３】
図９は特許文献１で開示されたミスト式浴室暖房装置の機器構成図である。図９において、ミスト式浴室暖房装置は、ミスト発生ユニット１０２，温風暖房乾燥機１０４，及びリモコン装置１０５から構成されている。カラン１０１は温水及び冷水を出水する。ミスト発生ユニット１０２はカラン１０１から給湯管１０３を介して供給される温水を浴室内に噴霧して温水ミストを発生させる装置である。温風暖房乾燥機１０４は浴室の壁面の高所に設置される。温風暖房乾燥機１０４はミストサウナ浴用の熱源として使用されるだけでなく、単独で浴室の暖房あるいは乾燥のための熱源としても使用される。なお、ミスト発生ユニット１０２の運転操作は、ミスト発生ユニット１０２の正面パネルに備えたスイッチ１０６あるいは、リモコン装置１０５によって行われる。
【０００４】
また、特許文献３には、ミスト噴霧用ノズル、熱源機および温風暖房乾燥機を一の制御器で一括制御して、（１）ミスト噴霧用ノズルから温水ミストを浴室内に噴霧することにより、浴室内の温度を高めるミスト暖房方式、（２）温水、電気、ガス、灯油等を熱源として温風暖房乾燥機を駆動して浴室内の温度を高める乾燥暖房方式、及び（３）上記ミスト暖房方式と乾燥暖房方式とを併用する併用方式、の３種類の運転方式を選べるようにした浴室暖房乾燥装置が提案されている。
【特許文献１】特開２００５−１１８４５２号公報
【特許文献２】特開２００２−２５３４４０号公報
【特許文献３】特開２００２−８９８６６号公報
【発明の開示】
【発明が解決しようとする課題】
【０００５】
このように、温風暖房乾燥機とミストサウナ装置を浴室内に取り付けることにより、通常の浴室でミストサウナ浴を楽しむことができる。しかしながら、温風暖房乾燥機によって浴室が暖房される前にミストサウナ装置を作動させると、冷たいミストが使用者に不快感を与えるという問題がある。ミストサウナ装置から噴霧される温水は、安全性を考慮して約４８℃程度と比較的低めに設定されており、噴霧されたミストは周囲の空気によって急速に冷却されるからである。一方、温水の温度を高くすれば、ミストの温度も高くなる。しかし、ミスト発生ユニットはカランの近傍、つまり使用者の体の直近に装置されているので、高温の温水を噴霧すると、十分冷却される前の高温のミストが使用者の体に触れる危険がある。
【０００６】
特許文献３に記載の浴室暖房乾燥装置のように、ミスト噴霧用ノズル、熱源機および温風暖房乾燥機を一つの制御器で集中制御する装置であれば、浴室の室温が十分に上昇した後に、ミスト噴霧を開始するような制御プログラムを組むことによって、これらの問題を解消することができる。しかしながら、特許文献３に記載の浴室暖房乾燥装置は、特定のミスト噴霧用ノズル、熱源機および温風暖房乾燥機の組み合わせに対して、専用の制御器及び制御プログラムを用意しなければならない。そのため、既に温風暖房乾燥機が設置されている場合には、既設の温風暖房乾燥機を撤去しなければならない。つまりミスト発生ユニットの後付ができないという問題がある。
【０００７】
そこで、本発明の目的は、温風暖房乾燥機とミスト発生ユニットが互いに独立して制御される場合であっても、快適かつ安全に使用できるミストサウナ装置を提供することにある。
【課題を解決するための手段】
【０００８】
本発明に係るミストサウナ装置の第１の構成は、浴室内に温水を噴霧して温水ミストを発生させるミストサウナ装置において、給湯管から供給される温水を噴霧する温水ミスト発生手段；前記温水ミスト発生手段への温水の供給を開閉する開閉弁；ミストサウナ浴開始の指示を入力するサウナ開始スイッチ；前記浴室内の温度を検出する温度センサ；前記サウナ開始スイッチからミストサウナ浴開始の指示が入力された場合、前記温度センサの示度が所定の閾値以上かつ／又は時間当たりの前記浴室内の温度上昇率が所定の閾値以上であれば、温水の噴霧を許可する開始温度判定手段；及び前記開始温度判定手段が温水の噴霧を許可した場合に前記開閉弁を開放する弁制御手段；を備えることを特徴とする。
【０００９】
この構成によれば、浴室の室温が所定の閾値に達していない場合には、温水の噴霧を許可しないので、室温が低い状態で低温のミストが使用者にふれることが防止される。そのため、使用者にひんやりとした不快感を与えることがない。
【００１０】
本発明に係るミストサウナ装置の第２の構成は、前記第１の構成において、少なくとも前記温水ミスト発生手段を内蔵するミスト発生ユニット；前記ミスト発生ユニットとは別体に構成されたリモコン装置；前記リモコン装置内にあって、前記ミスト発生ユニットに対する指令を有線又は無線送信する送信手段；前記ミスト発生ユニット内にあって、前記送信手段から送信される指令を受信する受信手段；を備えるとともに、前記温度センサは前記リモコン装置に取り付けられていることを特徴とする。
【００１１】
この構成によれば、温度センサをミスト発生ユニットとは別体に構成されたリモコン装置に取り付けているので、温度センサは湯水や噴霧口付近のミストに直接曝されることがない。したがって、浴室の室温を正確に検出することができる。
【００１２】
なお、ここでミスト発生ユニットとは、少なくとも前記温水ミスト発生手段を含むミストサウナ装置の構成要素の全て又は一部を一つの筐体に収納したユニットのことである。また、リモコン装置はミストサウナ装置に対する操作指示を行う入力手段と温度センサを必須の構成要素とするが、サウナ開始スイッチや開始温度判定手段をリモコン装置の内部に装置してもよい。
【００１３】
本発明に係るミストサウナ装置の第３の構成は、前記第２の構成において、前記送信手段は、前記温度センサが出力する温度信号を送信するとともに、前記受信手段は当該温度信号を受信し、前記開始温度判定手段は、前記サウナ開始スイッチからミストサウナ浴開始の指示が入力された場合、前記受信手段が受信する温度信号が所定の閾値以上かつ／又は時間当たりの前記浴室内の温度上昇率が所定の閾値以上であれば、温水の噴霧を許可することを特徴とする。
【００１４】
この構成も、温度センサをリモコン装置に取り付けているので、温度センサが湯水に曝されることがない。したがって、浴室の室温を正確に検出することができる。又、受信する温度信号が所定の閾値以上の時だけ温水の噴霧を許可するので、室温が低い状態で低温のミストが使用者にふれることが防止される。
【００１５】
本発明に係るミストサウナ装置の第４の構成は、前記第１乃至第３のいずれかの構成において、前記開始温度判定手段は、前記温度センサの示度が所定の閾値以上かつ／又は時間当たりの前記浴室内の温度上昇率が所定の閾値以上にある場合に、前記サウナ開始スイッチからの入力を受付け可能な状態（以下「受付可能状態」という。）とする受付手段；前記受付可能状態において、前記サウナ開始スイッチからミストサウナ浴開始の指示が入力された場合に、前記弁制御手段に前記開閉弁の開放を指令する弁開放指令手段；を備えることを特徴とする。
【００１６】
この構成によれば、温度センサの示度が所定の閾値に達していない場合には、サウナ開始スイッチからの入力を受付けないので、低室温環境で温水を噴霧して、使用者にひんやりとした不快感を与えることがない。
【００１７】
本発明に係るミストサウナ装置の第５の構成は、前記第１乃至第３のいずれかの構成において、前記開始温度判定手段は、前記サウナ開始スイッチからミストサウナ浴開始の指示が入力されたときに、前記温度センサの示度が所定の閾値未満かつ／又は時間当たりの前記浴室内の温度上昇率が所定の閾値未満であれば、温水噴霧の許可を保留して、前記温度センサの示度の上昇を待つ状態（以下「待機状態」という。）とする待機手段；及び前記サウナ開始スイッチからミストサウナ浴開始の指示が入力されたときに、前記浴室温度センサの示度が所定の閾値以上かつ／又は時間当たりの前記浴室内の温度上昇率が所定の閾値以上である場合、又は前記待機状態において前記浴室温度センサの示度が閾値以上かつ／又は時間当たりの前記浴室内の温度上昇率が所定の閾値以上に達した場合に前記弁制御手段に前記開閉弁の開放を指令する弁開放指令手段；を備えることを特徴とする。
【００１８】
この構成によれば、サウナ開始スイッチからミストサウナ浴開始の指示が入力されたときに、温度センサの示度が所定の閾値に達していない場合には、前記温度センサの示度が閾値以上になるのを待って温水を噴霧するので、再度サウナ開始スイッチを操作する必要がない。そのため、ミストサウナ装置の使い勝手が向上する。
【００１９】
本発明に係るミストサウナ装置の第６の構成は、前記第１乃至第３のいずれかの構成において、前記開始温度判定手段は、前記サウナ開始スイッチからミストサウナ浴開始の指示が入力されたときに、温水噴霧の許可を保留して、前記温度センサの示度を監視する状態（以下「保留状態」という。）とするとともに、前記温度センサの示度が所定の閾値以上かつ／又は時間当たりの前記浴室内の温度上昇率が所定の閾値以上であることを条件に前記保留状態を解除する保留手段；及び前記保留状態が解除されたときに、前記弁制御手段に前記開閉弁の開放を指令する弁開放指令手段；を備えることを特徴とする。
【００２０】
この構成も、サウナ開始スイッチからミストサウナ浴開始の指示が入力されたときに、温度センサの示度が所定の閾値に達していない場合には、前記温度センサの示度が閾値以上になるのを待って温水を噴霧するので、再度サウナ開始スイッチを操作する必要がない。そのため、ミストサウナ装置の使い勝手が向上する。
【００２１】
本発明に係るミストサウナ装置の第７の構成は、前記第１乃至第６のいずれかの構成において、ミストの噴霧を開始する指示（以下、「噴霧開始指示」という。）を入力するミスト開始スイッチを備えるとともに、前記噴霧開始指示が入力されると、前記弁制御手段は前記開閉弁を開放することを特徴とする。
【００２２】
この構成によれば、浴室の室温の如何に関わらず、温水の噴霧を行うことができるので、使用者の好みの室温の下でミストサウナ浴を行うことができる。
【００２３】
本発明に係るミストサウナ装置の第８の構成は、前記第１乃至第６のいずれかの構成において、ミストの噴霧を開始する指示（以下、「噴霧開始指示」という。）を入力するミスト開始スイッチを備えるとともに、前記噴霧開始指示が入力されると、前記開始温度判定手段は前記温度センサの示度の如何に関わらず、温水の噴霧を許可することを特徴とする。
【００２４】
この構成も、浴室の室温の如何に関わらず、温水の噴霧を行うことができるので、使用者の好みの室温の下でミストサウナ浴を行うことができる。
【００２５】
本発明に係るミストサウナ装置の第９の構成は、前記第４乃至第６のいずれかの構成において、ミストの噴霧を開始する指示（以下、「噴霧開始指示」という。）を入力するミスト開始スイッチを備えるとともに、前記噴霧開始指示が入力されると、前記弁開放指令手段は前記弁制御手段に前記開閉弁の開放を指令することを特徴とする。
【００２６】
この構成も、浴室の室温の如何に関わらず、温水の噴霧を行うことができるので、使用者の好みの室温の下でミストサウナ浴を行うことができる。
【発明の効果】
【００２７】
以上のように、本発明によれば、温度センサの示度が所定の閾値以上である場合に温水ミストの噴霧を許可するので、温風暖房乾燥機とミスト発生ユニットを独立して制御する場合であっても、温風暖房乾燥機によって浴室を加温した後で温水ミストの噴霧を開始することができる。また、使用者が特に望む場合には浴室温度の如何にかかわらず温水ミストを噴霧することができるので、例えば、運動直後の体が火照っているような場合に、浴室温度が低い状態で冷水ミストを浴びることができる。そのため、温風暖房乾燥機を備えた浴室にミスト発生ユニットを後付するだけで、使い勝手の良いミストサウナ装置を実現することができる。
【発明を実施するための最良の形態】
【００２８】
以下、本発明を実施するための最良の形態について、図面を参照しながら説明する。
【実施例１】
【００２９】
図１は本発明の実施例１に係るミストサウナ装置の構成図である。本実施例のミストサウナ装置１は、ミスト噴霧ノズル２、給湯管３、ソレノイドバルブ４、ソレノイドドライバ５、制御部６、サウナ開始スイッチ７及び温度センサ８から構成されている。なお、これらの構成要素は一体のケーシングに収納されるが、構成要素の一部を前記ケーシングの外部に別置してもよい。なお、本明細書では、少なくともミスト噴霧ノズル２を含むミストサウナ装置１の構成要素の全部又は一部を一体のケーシングに纏めたユニットを「ミスト発生ユニット」と呼ぶ。
【００３０】
ミスト噴霧ノズル２は、浴室内に設置されたカラン（図示なし）から分岐する給湯管３から供給される温水を噴霧する温水ミスト発生手段である。なお、ミスト噴霧ノズル２から噴霧する温水の温度は４８℃を標準としている。高温の温水の噴霧による危険を避けるために給湯管３に温度センサと遮断弁（図示せず。）を取り付けて、異常高温（例えば５５℃以上）の温水が給湯管３に流れたら温水の供給を遮断するようにしてもよい。
【００３１】
ソレノイドバルブ４は、ミスト噴霧ノズル２と給湯管３の間に装置されて、ミスト噴霧ノズル２に対する温水の供給の開閉を行う開閉弁である。つまり、ソレノイドバルブ４を開放するとミスト噴霧ノズル２から温水が噴霧され、ソレノイドバルブ４を閉鎖すると温水の噴霧が停止する。なお、ソレノイドバルブ４に代えて他の形式の弁を選んでもよい。開閉弁は制御部６からの指令によって自在に開閉できる弁であれば、弁を開閉するアクチュエータや弁の形式は問わないからである。
【００３２】
ソレノイドドライバ５は、制御部６からの指令を受けてソレノイドバルブ４を開閉する駆動電流を供給する装置である。なお、ソレノイドドライバ５に代えて、制御部６にソレノイドバルブ４に駆動電流を直接供給する手段を内蔵してもよい。
【００３３】
制御部６は、サウナ開始スイッチ７及び温度センサ８から入力を受けて、ソレノイドドライバ５に対してソレノイドバルブ４の開閉信号を出力する制御装置である。制御部６に、サウナ開始スイッチ７からミストサウナ浴開始の指示が入力されても、温度センサ８が検出する浴室の室温が所定の閾値に達していなければ、ソレノイドバルブ４の開放を許可せず、室温の上昇を待って、開放を許可する。つまり、制御部６は浴室の室温がミストサウナ浴の開始に適した温度に到達しているかを判定する開始温度判定手段である。なお、制御部６の詳細な構成と作用は後述する。
【００３４】
サウナ開始スイッチ７は使用者がミストサウナ浴の開始を求める時に操作するスイッチである。サウナ開始スイッチ７を操作すると、ミストサウナ浴開始を求める信号が制御部６に入力される。
【００３５】
温度センサ８は、浴室の室温を検出するセンサである。温度センサ８はミスト発生ユニット（図示せず。）に取り付けても良いが、ミスト発生ユニットはカランの近傍、つまり浴室の下部に設置されるので、浴室の中央部に温度センサ８を取り付けた場合に比べて低い温度が検出される。また、ミスト発生ユニットはカランやシャワーヘッドから吐出する温水に曝されるので、温度センサ８が温水を浴びて高い温度を検出する場合もある。そこで、温度センサ８をミスト発生ユニットから離れた壁面など、温水に直接曝されない場所であって、浴室の室温を代表する場所に設置すれば、精度の良い室温検出ができる。あるいは、複数個の温度センサ８を浴室内の異なる場所に設置して浴室の室温の平均値を推定するようにしてもよい。温度センサ８はサーミスタ、熱電対、赤外線放射温度計など公知のセンサの中から適宜選択することができる。
【００３６】
また、ソレノイドドライバ５にミスト開始スイッチ９を取り付けてもよい。ミスト開始スイッチ９はソレノイドドライバ５にソレノイドバルブ４を開放するための駆動電流を供給するように指令するスイッチである。ミスト開始スイッチ９は温度センサ８や制御部６とは無関係にソレノイドバルブ４を開放するので、浴室の室温の如何に関わらず温水ミストを発生させることができる。そのため、使用者は、浴室の室温が前記閾値より低い好みの室温の下でミスト浴を楽しむことができる。例えば、夏場の外気温が高い時に、浴室の室温を上げずに、冷たいミストを浴びて清涼感を味わいたいときに、このミスト開始スイッチ９は有用である。
【００３７】
図２はミストサウナ装置の変形例を示す構成図である。図２に示すミストサウナ装置１１の基本的な構成と作用は、前述したミストサウナ装置１と同一なので、共通する構成要素には同一の符号を付与しているが、ミストサウナ装置１１はミスト発生ユニット１２と別体に構成されたリモコン装置１３に分割されている点に特徴がある。
【００３８】
リモコン装置１３は、ミスト発生ユニット１２から離れた場所からミストサウナ装置１１を操作する遠隔操作装置であり、サウナ開始スイッチ７および温度センサ８を内蔵している。サウナ開始スイッチ７から入力されるミストサウナ浴開始信号および温度センサ８が検出する浴室の室温は赤外線送信部１４で赤外線信号に変換されて、ミスト発生ユニット１２に取り付けられた赤外線受信部１５に無線送信される。赤外線受信部１５は受信した赤外線信号を電気信号に変換して制御部６に入力する。
【００３９】
なお、本実施例ではリモコン装置１３とミスト発生ユニット１２の間を、赤外線を利用する無線通信で結ぶ例を示したが、リモコン装置１３とミスト発生ユニット１２の間の通信は有線通信であっても良い。
【００４０】
また、制御部６をリモコン装置１３に内蔵するようにしても良い。
【実施例２】
【００４１】
図３は本発明の実施例２に係るミストサウナ装置の制御部の構成図であり、図４は前記制御部の動作を説明するフローチャートである。図３に示すように、本実施例の制御部６は、受付可否判定部６１とバルブ開放信号出力部６２から構成されている。
【００４２】
受付可否判定部６１には温度センサ８が検出する浴室の室温が常時入力される。入力された室温が所定の閾値以上である場合には、「受付可能信号」を、入力された室温が前記閾値に満たない場合には、「受付不可信号」をバルブ開放信号出力部６２に出力する。
【００４３】
図４（ａ）に示すように、バルブ開放信号出力部６２は「受付可能信号」を受信すると内部のメモリーに「受付可能フラグ」を立ち上げる（ステップ２）。また「受付不可信号」を受信すると「受付可能フラグ」を立ち下げる（ステップ３）。また、図４（ｂ）に示すように、サウナ開始スイッチ７からバルブ開放信号出力部６２に「ミストサウナ開始信号」が入力される（ステップ４）と、バルブ開放信号出力部６２は「受付可能フラグ」を参照して、「受付可能フラグ」が立ち上がっていれば、ソレノイドドライバ５に「バルブ開放信号」を送り、ソレノイドバルブ４を開放して温水ミストを噴霧する（ステップ６）。「受付可能フラグ」が立ち下がっていれば、何もしないで処理を終える。この場合、使用者は浴室の室温が前記閾値以上に上昇した頃合いを見計らって、再度、サウナ開始スイッチ７を操作する。
【実施例３】
【００４４】
図５は本発明の実施例３に係るミストサウナ装置の制御部６の構成図であり、図６は前記制御部６の動作を説明するフローチャートである。図５に示すように、本実施例の制御部６は、バルブ開放信号出力部６２と待機信号発生部６３から構成されている。
【００４５】
待機信号発生部６３には、温度センサ８とサウナ開始スイッチ７が接続されている。図６に示すように、サウナ開始スイッチ７から待機信号発生部６３に「ミストサウナ開始信号」が入力される（ステップ１１）と、バルブ開放信号出力部６２は温度センサ８が検出する浴室の室温が所定の閾値以上である場合（ステップ１２）には、ソレノイドドライバ５に「バルブ開放信号」を送って、ソレノイドバルブ４を開放して温水ミストを噴霧する（ステップ１５）。また、浴室の室温が前記閾値に満たない場合には、「待機信号」を、バルブ開放信号出力部６２に出力する（ステップ１３）。
【００４６】
「待機信号」を受けたバルブ開放信号出力部６２はステップ１２からステップ１４の間でループを回して、浴室の室温が前記閾値以上になるのを待つ。温度センサ８が検出する浴室の室温が所定の閾値以上になったら、ソレノイドドライバ５に「バルブ開放信号」を送って、ソレノイドバルブ４を開放して温水ミストを噴霧する（ステップ１５）。したがって、使用者がサウナ開始スイッチ７を操作した時に浴室の室温が前記閾値に達していない場合でも、浴室の室温が前記閾値に達するのを待って温水ミストの噴霧を開始するので、使用者は、サウナ開始スイッチ７を再度操作する必要はない。
【００４７】
また、バルブ開放信号出力部６２にミスト開始スイッチ９を接続して、ミスト開始スイッチ９の操作（ステップ１４）により、浴室の室温の如何に関わらず、バルブ開放信号出力部６２からソレノイドドライバ５に「バルブ開放信号」を送って（ステップ１６）温水ミストの噴霧を開始する（ステップ１５）ようにしてもよい。
【実施例４】
【００４８】
図７は本発明の実施例４に係るミストサウナ装置の制御部６の構成図であり、図８は前記制御部６の動作を説明するフローチャートである。図７に示すように、本実施例の制御部６は、バルブ開放信号出力部６２と保留信号発生部６４から構成されている。
【００４９】
保留信号発生部６４には、サウナ開始スイッチ７が接続されている。図８に示すように、サウナ開始スイッチ７から保留信号発生部６４に「ミストサウナ開始信号」が入力される（ステップ２１）と、保留信号発生部６４は浴室の温度の如何に関わらず、「保留信号」を、バルブ開放信号出力部６２に出力する（ステップ２２）。
【００５０】
「保留信号」を受けたバルブ開放信号出力部６２は温度センサ８が検出する浴室の室温のモニターを開始する。「保留信号」を受信した時点（実用上は保留信号発生部６４に「ミストサウナ開始信号」が入力されるのと同時と言える）において、浴室の室温が所定の閾値以上であれば（ステップ２３）、保留信号発生部６４は「保留信号」を解除（ステップ２５）し、バルブ開放信号出力部６２はただちに、ソレノイドドライバ５に「バルブ開放信号」を送って、温水ミストの噴霧を開始する（ステップ２６）。浴室の室温が所定の閾値未満であれば、ステップ２３とステップ２４の間でループを回して、浴室の室温が前記閾値に達するのを待って、「保留信号」を解除（ステップ２５）し、温水ミストの噴霧を開始する（ステップ２６）。したがって、本実施例においても、使用者がサウナ開始スイッチ７を操作した時に浴室の室温が前記閾値に達していない場合でも、浴室の室温が前記閾値に達するのを待って温水ミストの噴霧を開始するので、使用者は、サウナ開始スイッチ７を再度操作する必要はない。
【００５１】
また、バルブ開放信号出力部６２にミスト開始スイッチ９を接続して、ミスト開始スイッチ９の操作（ステップ２７）により、浴室の室温の如何に関わらず、バルブ開放信号出力部６２からソレノイドドライバ５に「バルブ開放信号」を送る（ステップ２６）ようにしてもよい。
【００５２】
なお、温水ミストの噴霧が開始されると、気化熱の作用により、一時的に浴室の室温が多少下がり閾値を下回る場合があるが、温風暖房乾燥機自体が温度制御装置を備えているので室温の低下は温風暖房乾燥機にフィードバックされて、じきに回復する。したがって何れの実施例においても、温水ミストの噴霧開始後は浴室の室温の低下による温水ミストの噴霧の停止は行わない。
【００５３】
また、上記の各実施例においては、浴室の室温の高低を温水ミストの噴霧開始許可の条件としたが、浴室の室温の時間当たりの温度上昇率の高低を温水ミストの噴霧開始許可の条件にしてもよい。例えば、浴室の室温が所定の閾値を下回っていても、温度上昇率が５（ｄｅｇ／１０分）以上であれば、温水ミストの噴霧開始を許可するようにしてもよい。あるいは、浴室の室温が所定の閾値以上であり、しかも温度上昇率が５（ｄｅｇ／１０分）以上であることを温水ミストの噴霧開始許可の条件にしてもよい。
【００５４】
例えば、温度センサ８がミスト発生ユニット１２等の内部に取り付けられていると、温度センサ８が検出する温度は浴室の温度に対して遅れて変化するから、浴室の温度が既に閾値を超えていても、温度センサ８が検出する温度はまだ閾値に達していない場合がある。このような場合でも、１０分間の温度上昇率が所定の閾値を超えていれば、温風暖房乾燥機が連続して運転され、浴室内の温度が十分に上昇していると推定できる。したがって、温度上昇率を温水ミストの噴霧開始許可の条件とすれば、温度センサ８が検出する温度が浴室の温度に一致するまで、温水ミストの噴霧開始を待たされることが無くなるので、ミストサウナ装置の使い勝手が向上する。
【００５５】
また、上記の各実施例においては、ＯＮ−ＯＦＦ制御、つまり閾値を境にソレノイドバルブ４の全閉と全開を切り替える例を示したが、浴室の室温に比例してソレノイドバルブ４の開度を連続的に変化させるようにしてもよい。
【図面の簡単な説明】
【００５６】
【図１】本発明の実施例１に係るミストサウナ装置の構成図である。
【図２】前記ミストサウナ装置の変形例を示す構成図である。
【図３】本発明の実施例２に係るミストサウナ装置の制御部の構成図である。
【図４】前記制御部の動作を説明するフローチャートである。
【図５】本発明の実施例３に係るミストサウナ装置の制御部の構成図である。
【図６】前記制御部の動作を説明するフローチャートである。
【図７】本発明の実施例４に係るミストサウナ装置の制御部の構成図である。
【図８】前記制御部の動作を説明するフローチャートである。
【図９】特許文献１に記載の浴室暖房乾燥システムの機器配置を表す図である。
【符号の説明】
【００５７】
１  ミストサウナ装置
２  ミスト噴霧ノズル
３  給湯管
４  ソレノイドバルブ（開閉弁）
５  ソレノイドドライバ
６  制御部
７  サウナ開始スイッチ
８  温度センサ
９  ミスト開始スイッチ
１１  ミストサウナ装置
１２  ミスト発生ユニット
１３  リモコン装置
１４  赤外線送信部
１５  赤外線受信部
６１  受付可否判定部
６２  バルブ開放信号出力部
６３  待機信号発生部
６４  保留信号発生部
【図１】
2007061225.tif 000003
【図２】
2007061225.tif 000004
【図３】
2007061225.tif 000005
【図４】
2007061225.tif 000006
【図５】
2007061225.tif 000007
【図６】
2007061225.tif 000008
【図７】
2007061225.tif 000009
【図８】
2007061225.tif 000010
【図９】
2007061225.tif 000011